(57)【要約】【課題】歩行型耕耘機に関し、護葉カバーを備えて、茶園や果樹園等で樹木を列状に栽培している圃場におけるロータリ耕耘作業中のエンジンのオーバーヒートを防止しようとする。【解決手段】ロータリ耕耘装置（１８、５８）を備える機体の前上方にエンジン（３、６１）を搭載し該エンジンの近傍には排気マフラ（５６、６２）を設置し、この機体の後方上方に向けて操縦用ハンドル（１１、６７）を設け、更に該機体の前面及び左右側面を囲う護葉カバー（４０、８０）を設けた歩行型耕耘機において、上記護葉カバー（４０、８０）を該前面から側面に亘る部分を平面視において傾斜面（４０ｂ、８０ｂ）に形成し、この傾斜面（４０ｂ、８０ｂ）に多数の排気ガスの抜き孔（５５、８８）を形成した。【選択図】  図２
2007097442.tif 000002
【特許請求の範囲】
【請求項１】
ロータリ耕耘装置（１８、５８）を備える機体の前上方にエンジン（３、６１）を搭載し該エンジンの近傍には排気マフラ（５６、６２）を設置し、この機体の後方上方に向けて操縦用ハンドル（１１、６７）を設け、更に該機体の前面及び左右側面を囲う護葉カバー（４０、８０）を設けた歩行型耕耘機において、上記護葉カバー（４０、８０）を該前面から側面に亘る部分を平面視において傾斜面（４０ｂ、８０ｂ）に形成し、この傾斜面（４０ｂ、８０ｂ）に多数の排気ガスの抜き孔（５５、８８）を形成してなる歩行型耕耘機。
【発明の詳細な説明】
【技術分野】
【０００１】
この発明は、歩行型耕耘機に関し、例えば、茶園や果樹園等で樹木を列状に栽培している圃場においてロータリ耕耘作業を容易に行わせようとする。
【背景技術】
【０００２】
前記茶葉を傷めないために耕耘管理機のエンジン部から耕耘部に亘り側面の大部分を覆うように護葉カバーを装着している（特許文献１）。
この例では、歩行型耕耘機は左右側面が凹凸状になっているので、栽培作物間を走行時に作物を傷めないように、護葉カバーで機体の前方から左右両側方を覆うよう、該護葉カバーは、平面視略「コ」字状としており、歩行型耕耘機の適所に設けた取付部に取り付けて、機体表面の凹凸をなくしている。
【特許文献１】特開２０００−２０１５０１号
【発明の開示】
【発明が解決しようとする課題】
【０００３】
しかし、前記の構成では、護葉カバーによってエンジンの熱気あるいは排気ガスの茶葉への接触を未然に防止し、茶葉が損傷しない構成となっているものの、特に排気ガスの抜き孔について配慮がなく、排気ガスはカバー内部に籠もってしまう場合もありオーバーヒートの原因となっていた。また、従来の護葉カバーの場合は、四角形状の隅部で茶葉や枝に接触してこれを損傷するものとなっていた。
【０００４】
この発明は護葉カバーによる護葉効果を良好となし、かつエンジン排気ガスの良好な排出構成の提供を図るものである。
【課題を解決するための手段】
【０００５】
このためこの発明は次の技術的手段を講じた。
すなわち、ロータリ耕耘装置（１８、５８）を備える機体の前上方にエンジン（３、６１）を搭載し該エンジンの近傍には排気マフラ（５６、６２）を設置し、この機体の後方上方に向けて操縦用ハンドル（１１、６７）を設け、更に該機体の前面及び左右側面を囲う護葉カバー（４０、８０）を設けた歩行型耕耘機において、上記護葉カバー（４０、８０）を該前面から側面に亘る部分を平面視において傾斜面（４０ｂ、８０ｂ）に形成し、この傾斜面（４０ｂ、８０ｂ）に多数の排気ガスの抜き孔（５５、８８）を形成してなる歩行型耕耘機の構成とする。
【０００６】
このように構成すると、茶園や果樹園等で樹木を列状に栽培している圃場にて該列条間に沿って機体を進行させながら耕耘作業を行うことにより堆積した茶葉を土壌中に埋めることができる。そしてこの
作業を行うときには護葉カバー（４０）によって茶葉に直接機体が接触することがないために、枝を折ったり茶葉をふるい落とすなどの不測の事態を引き起こさない。特に護葉カバー（４０）は前面から側面にわたる間を傾斜面（４０ａ）として舟型状に形成されるから円滑に茶葉を左右に押し開くことができる。
【０００７】
またこの傾斜面（４０ａ）に排気ガスの抜き孔（５５）を形成するものであるから、茶葉類が継続的にこの傾斜面（４０ａ）に接触する事が少ないために、排気ガスは良好にカバー（４０）内部から外方へ導かれる。
【発明の効果】
【０００８】
本発明によると、護葉カバー（４０）は前面から側面にわたる間を傾斜面（４０ａ）として舟型状に形成されるから円滑に茶葉を左右に押し開くことができ、この押し開きによる損傷が少なくできる。
【０００９】
またこの傾斜面（４０ａ）に排気ガスの抜き孔（５５）を形成するものであるから、排気ガスは良好にカバー（４０）内部から外方へ抜かれることになり排気が籠もることによるオーバーヒートを引き起こさない。
【発明を実施するための最良の形態】
【００１０】
この発明の一実施例を図面に基づき説明する。
歩行型耕耘機１は、機体の前後方向中間部に略上下に車軸伝動ケ−ス４を設け、該伝動ケ−ス４の下部に前方に向かって突出するフレ−ム２の後端部を取り付けている。このフレ−ム２の上面は取付座面となっており、エンジン３を前後方向調節自在に搭載している。エンジン３の左側方にはクランク軸に接続する駆動軸主軸６を突出し、伝動ベルトを介して車軸伝動ケース４の入力軸７を伝動する。車軸伝動ケース４の下部には左右に突出して車軸８を支架し、車輪９，９を装着してなる。
【００１１】
車軸伝動ケ−ス４の上端部にはハンドルフレ−ム１０が設けられ、該ハンドルフレ−ム１０から後方斜め上方に向かってハンドル１１，１１を突出している。
上記ハンドルフレーム１０は、車軸伝動ケース４の上端部にこのケース４を被せられ左右側からボルト１２によって固定される構成である。
【００１２】
次に、前記車軸伝動ケース４や、下部に位置するロータリ耕耘装置の伝動ケース等について説明する。車軸伝動ケ−ス４は、鉄系材やアルミ系の合金材等の材質であって、鋳物やダイキャスト等の加工法で製作されている。そして、内部には図示しない複数の伝動歯車から成る変速部を内装しており、変速レバー１６を操作して必要な変速比の回転を車軸伝動ケ−ス４下端の車軸８に伝え、車輪８，８を駆動回転する。
【００１３】
前記車軸伝動ケ−ス４後部には、ヒッチ１７が設けられ該ヒッチ１７の突出後端部にセンタードライブ式としたロ−タリ耕耘装置１８の耕耘伝動ケ−ス１９が装着されている。耕耘伝動ケース１９の上部と車軸伝動ケース４の上部間には車軸伝動ケース４から耕耘伝動ケース１９に動力を伝達するためのカウンターケース２０が取り付けられ、両者は伝動可能に構成されている。
【００１４】
耕耘伝動ケ−ス１９は板金製であって、鉄板を絞り加工した左右の半ケースを左右対向して合わせ、ケースを構成し、ケースの内部の空間上部には回転数を高速または低速に変速する高低変速部２１を内装しており、その回転を、上部軸２２に対し回転自在に取り付けている上スプロケット２３に伝える。
【００１５】
耕耘伝動ケース１９下部には駆動軸２５をベアリング２６を介して軸承し、該駆動軸２の左右方向中央部には下スプロケット２７が一体的に取り付けられており、前記上スプロケット２３の駆動回転力をチェーン２８を介して駆動伝動している。
【００１６】
左右各駆動軸２５Ｌ，２５Ｒには、耕耘パイプ３０，３０を延長状態に接続する構成である。耕耘パイプ３０，３０は、その外側に同芯状に草巻付き防止筒体３１をスペーサ３２を介して取付けると共に、その外周には耕耘回転刃３３，３３…を取り付ける。一方の刃をナタ刃３３ａとし他方の刃を直刃３３ｂとする。
【００１７】
ナタ刃３３ａも直刃３３ｂも、側面視の形状は図１のように略同じであるが、背面視の形状は異なる。即ち、図１で矢印（イ）方向に回転するナタ刃３３ａは、側面視で後退角のついた先端刃部が駆動ケース１５方向に曲がり込んだ通常の泥土掘削用の耕耘爪であり、曲がり込んだ先端刃部によって泥土を幅広く掘削する。直刃３３ｂは単に側面視で後退角のついたナイフ様の刃であって、背面視では直線状である。この直刃３３ｂは、圃場表面に散乱放置した剪定樹木を細かく細断しようとするものである。
【００１８】
次いで、護葉カバー４０について説明する。護葉カバー４０は、機体前方から側方にわたる箇所を包囲して樹木の枝葉類が損傷しないように設けるもので、平面形状は舟型を呈するよう前面壁部４０ａは幅狭く側方にかけて平面視で傾斜面４０ｂを形成し、側方の機体平行側面部４０ｃに至る形状となっている。
【００１９】
そして護葉カバー４０の前面壁部４０ａの上下中間部下方は切欠き状態となすと共に、その上部側の壁面にエンジン本体の前面部に一端を装着した支持具４１の前端にプレート４１ａを設け適宜ボルト４２、ナット４３によって着脱自在に取り付ける。
【００２０】
一方護葉カバー４０の後端側はハンドルフレーム１０近傍まで延長されていて、このハンドルフレーム１０を利用して固定するもので、該ハンドルフレーム１０を車軸伝動ケース４に固定する前記ボルト１２、及びナット４４をもって該車軸伝動ケース４に共締めされるカバー装着枠４６を取り付けている。このカバー装着枠４６は、左右対称形状で、共締めされるステー４７と、該ステー４７の外端に溶接固定されカバー４０をボルト４８、ナット４９によって固定する接合板５０と、該接合板５０に溶接固定され護葉カバー４０の後端を受け止め支持する後端板５１とからなる。また、他にもう１ケ所左右の接合板５０を連結する構成の連結ステー５３が設けられている。
【００２１】
前記護葉カバー４０の傾斜面４０ｂの全面および機体平行側面部４０ｃの前方寄り箇所には、エンジン３の排気ガスの抜き孔５５，５５…を所定の径をもって開口し形成している。この抜き穴５５，５５…は作物列の葉茎が作用しない大きさに形成されるもので、茶園用では直径約１０ｍｍ前後としている。なお、図例では機体平行側面部４０ｃの抜き孔５５，５５…はその前半分に形成している。
【００２２】
符号５６はマフラで、テールパイプは機体左斜前方に開放するように配置され、その開放端は護葉カバー４０の左側傾斜面に対向した状態となっている。
上記のように構成された耕耘機１で茶園の管理を行うが、エンジン３を始動し車軸８及び耕耘パイプ３０，３０に動力を伝えながら機体前進させると、耕耘パイプ３０Ｌ，３０Ｒの回転にともない耕耘刃３３が土中に作用し表土を耕耘する。ここで、樹木列間に剪定された茶木の枝や茶葉が散乱している時、耕耘走行に伴い直刃３３ｂで地表面の枝や葉を細断しながら、ナタ刃３３ａにより掘削する耕耘泥土中に両回転刃３３で協同して、撹拌埋め込みを行なうから、土壌中の水分や細菌により枝葉の腐食を促進する。
【００２３】
また上記耕耘作業中、枝の成長具合や剪定の都合等によって機体の進行圏内に枝葉が伸びだすが、このようなときには護葉カバー４０でもって押し開きながら機体の進行方向空間を確保するもので、枝葉を損傷することなく、継続的に作業を行うことができる。とくに上記の実施例では、護葉カバーが舟型に形成されているから、枝葉との衝突によって折れたり損傷を与えることが少ない。また、護葉カバー４０内ではエンジン３が起動状態であって、その排気が継続的に排出されるが、護葉カバー４０に形成した抜き孔５５，５５…を通過して護葉カバー４０外に排出される。特に護葉カバー４０の傾斜面４０ｂに抜き孔５５，５５…を形成するために、枝葉との接触で孔５５が塞がれたりすることがなく、排気の籠もりをなくし、オーバーヒートの恐れが少ない。
【００２４】
図６は別実施例を示すものである。
耕耘機５９機体のフレーム６０上にエンジン６１を搭載する。６２はマフラである。該エンジン６１の出力軸から入力軸を経て伝動ケース６３に動力を伝える構成であるが、該伝動ケース６３の下端側には左右に耕耘軸６４Ｌ，６４Ｒを突出して設け、該耕耘軸６４Ｌ，６４Ｒに耕耘刃６５を前記実施例のようにナタ刃６５ａと直刃６５ｂとを対抗配置させて設けて、一軸型ロータリ耕耘装置５８を構成している。この伝動ケース６３の後方上部にはハンドルフレーム６６を装着し、斜め後方上方に向けてハンドル６７を設けている。
【００２５】
ハンドルフレーム６６の後面には垂直状アーム６８を装着してピン止め固定する円筒ヒッチ６９を設けている。この円筒ヒッチ６９には、逆Ｌ型に形成した双尾輪装着枠７０を固定している。この双尾輪装着枠７０にブラケット７１を固定し、このブラケット７１には横軸７２支点回りに回動可能となるよう双尾輪７３の取付ステー７４を設けていて、双尾輪７３の上下高さを図例では３段階に位置調整できる構成としている。最下段の位置（イ）は機体移動用、最上段の位置（ロ）は跳ね上げ状態での作業用、中断固定の位置（ハ）は、耕耘作業の所定深さ以上への深耕を未然に防止するものであり、３位置は適宜に使い分けることによって、作業性・操作性を向上できることとなる。
【００２６】
前記Ｌ型の双尾輪装着枠７０の後端には斜め下後方に向けて延出する支持体７５を備え、該支持体７５の先部には外周に凸状を形成した尾輪７６を取付軸７７回りに遊転自在の構成としている。該尾輪７６は、所謂抵抗棒の代替用として改良されたもので、周縁の凸状にて適度に土中に食い込みながら一軸型耕耘機の後部にあって走行抵抗を付与できる。特に茶園などのように、剪定枝や葉が堆積している土壌を耕耘するときは、従来の抵抗棒形態では草や枝が抵抗棒に引っかかり前進の抵抗となっている。
【００２７】
これに対し、上記尾輪７６の採用によって次の利点がある。上記のように遊転自在で外周に凸状を形成するから適度に潜り込んで抵抗を付与しつつ自転作用によって草枝の引っかかりを防ぎ、仮にこれらが引っかかってもその回転ですり抜け易いものである。円盤型であるために、ハンドルの押し加減に余り影響を受けず、円滑な抵抗が掛かるので作業性を向上する。
【００２８】
なお、上記実施例では、円盤形状の外周に適当数の凸状を形成したが、図１０に示すように、直状の刃体７７，７７の複数を組み合わせて円盤状に形成してもよい。このときは分割体の一部破損によってもその一部交換によるから全体コストを低廉にする。
【００２９】
上記図６〜８の実施例における護葉カバー８０およびその装着構成について説明する。護葉カバー８０は、第1の実施例と同様に舟型を呈し、前側の幅狭壁面８０ａから傾斜面８０ｂを経て機体の前後に平行な機体平行側面８０ｃに形成される。後端はハンドルフレーム６６の基部あたりまで延長される。
【００３０】
そして、護葉カバー８０の前側はバンパ８１から斜めに延出させた取付けステー８２の先端に接合部８３を設けてボルト８４・ナット８５で固定し、後端側は、前記ハンドルフレーム６６にボルト・ナット８９，９０で共締めしたステー８６の先端に接合板８７を溶接固定し、この接合板にボルトナットで着脱自在に固定する。
【００３１】
上記護葉カバー８０の傾斜面８０ｂ及び機体平行側面部８０ｃの前側半部には所定大きさの抜き孔８８，８８を形成している。
したがって、この実施例においても、前記の実施例同様にエンジン６１の排気ガスが作業中に護葉カバー８０の内部に籠もってエンジン６１のオーバヒートを惹起させるようなこともなく、また枝葉類を引っ掛けて折ったり損傷させたりすることがない。
【図面の簡単な説明】
【００３２】
【図１】歩行型耕耘機の全体側面図
【図２】護葉カバーを装着した歩行型耕耘機の全体側面図
【図３】護葉カバーを装着した歩行型耕耘機の全体平面図
【図４】耕耘部の背断面図
【図５】護葉カバー取り付け構成を示す背面図
【図６】別例の歩行型耕耘機の全体側面図
【図７】護葉カバーを装着した歩行型耕耘機の全体側面図
【図８】護葉カバーを装着した歩行型耕耘機の全体平面図
【図９】尾輪取付例を示す拡大側面図
【図１０】尾輪取付別例を示す拡大側面図
【符号の説明】
【００３３】
３、６１  エンジン
１１、６７  ハンドル
１８、５８  ロータリ耕耘装置
４０、８０  護葉カバー
４０ｂ、８０ｂ  傾斜面
５５、８８  抜き孔
５６、６２  マフラ
【図１】
2007097442.tif 000003
【図２】
2007097442.tif 000004
【図３】
2007097442.tif 000005
【図４】
2007097442.tif 000006
【図５】
2007097442.tif 000007
【図６】
2007097442.tif 000008
【図７】
2007097442.tif 000009
【図８】
2007097442.tif 000010
【図９】
2007097442.tif 000011
【図１０】
2007097442.tif 000012